(57)【要約】【課題】灰皿または物品収納具の何れか一方が着脱自在に装着される遊技機に対して、灰皿が装着されることにより物品収納具を装着することができない場合であっても、遊技者に自己の物品を収納するための場所を供用することにより、遊技者の利便性を向上させる遊技機を提供することを目的とする。【解決手段】上記の課題を解決するために、遊技機１は、灰皿２００又は物品収納具２１０の何れか一方が選択的に装着されるユニット装着部１７０と、ユニット装着部１７０及び灰皿２００に対して対して着脱自在に装着される物品収納具２１０と、を備える。【選択図】図３
2007089672.tif 000002
【特許請求の範囲】
【請求項１】
正面側に開口部を有し、かつ、前記開口部を開閉自在に閉塞する扉を備える筐体と、
前記筐体に対して着脱自在に装着される灰皿と、
前記筐体に対して着脱自在に装着される物品収納具と、
前記灰皿又は前記物品収納具の何れか一方が選択的に装着される装着部と、
を備え、
前記物品収納具は、前記灰皿に対しても着脱自在に装着されることを特徴とする遊技機。
【発明の詳細な説明】
【技術分野】
【０００１】
本発明は、遊技機に関する。
【背景技術】
【０００２】
従来、複数の図柄がそれぞれの周面に描かれた複数のリールと、これら各リールに対応するように複数設けられ、前記各リールの周面に描かれた複数の図柄のうち、一部の図柄を表示する図柄表示領域と、各リールを個別に回転駆動するステッピングモータと、遊技者による投入口にメダルやコイン等を投入する操作やＢＥＴボタンの操作（以下、「投入操作」という。）に基づいて、単位遊技において投入するメダルやコイン等の数を指定する信号を出力するメダルセンサやＢＥＴスイッチと、メダルやコイン等が投入されたことを条件に、遊技者によるスタートレバーの操作（以下、「開始操作」という。）に基づいて、全リールの回転の開始を指令する信号を出力するスタートスイッチと、各リールに対応するように複数設けられ、遊技者によるストップボタンの操作（以下、「停止操作」という。）に基づいて、各リールの回転の停止を指令する信号を出力するストップスイッチと、前記ステッピングモータの動作を制御し、全リールの回転及び停止の結果、図柄表示領域内の有効ライン上に表示された図柄の組合せにより、遊技の結果（すなわち、遊技者の勝ち負け）を判定する制御部と、を備えた遊技機（いわゆる「パチスロ」）が知られている。
【０００３】
また、こうした遊技機には、遊技者が使用するための灰皿が備え付けられているものがあるが、当該灰皿が煙草の吸い殻などで汚損されることによって、当該遊技機を売却処分する際の販売価値が低下することを防止するために、遊技機本体とは別体の灰皿を用意して、遊技機に備え付けられている灰皿の使用を禁ずる遊技店がある。ところが、遊技店が遊技機本体とは別体の灰皿を用意した場合であっても、遊技機に灰皿が備え付けられたままの状態にあっては、遊技者が、当該遊技機に備え付けられた灰皿を使用してしまうおそれがある。
【０００４】
そこで、遊技機本体の灰皿を着脱自在とし、当該灰皿を取り外ずして遊技者に使用させないことにより、当該遊技機を売却処分する際の販売価値の低下を防止する遊技機が知られている。また、取り外した灰皿の代わりに物品収納具を取り付けることにより、当該灰皿を取り外したことによりできた空間を有効利用するとともに、遊技者に自己の物品を収納するための場所を供用する遊技機が知られている（例えば、特許文献１）。
【特許文献１】特開平２００４−３３０７９号公報
【発明の開示】
【発明が解決しようとする課題】
【０００５】
しかしながら、前述のような遊技機にあっては、遊技機に灰皿が装着されている場合には、物品収納具を装着することができないことから、遊技者は自己の物品を収納することができずに、遊技者の利便性が損なわれるおそれがある。
【０００６】
本発明は、上記課題に鑑みてなされたものであり、灰皿または物品収納具の何れか一方が着脱自在に装着される遊技機に対して、灰皿が装着されることにより物品収納具を装着することができない場合であっても、遊技者に自己の物品を収納するための場所を供用することにより、遊技者の利便性を向上させる遊技機を提供することを目的とする。
【課題を解決するための手段】
【０００７】
上記の課題を解決するために、本発明に係る遊技機は、正面側に開口部を有し、かつ、前記開口部を開閉自在に閉塞する扉（例えば、後述の前面扉１ｂ）を備える筐体（例えば、後述のキャビネット１ａ）と、前記筐体に対して着脱自在に装着される灰皿と、前記筐体に対して着脱自在に装着される物品収納具と、前記灰皿又は前記物品収納具の何れか一方が選択的に装着される装着部（例えば、後述のユニット装着部１７０）と、を備え、前記物品収納具は、前記灰皿に対しても着脱自在に装着されることを特徴としている。
【０００８】
この構成により、本発明の遊技機は、物品収納具が筐体の装着部のみならず、灰皿に対しても着脱自在に装着される。
【０００９】
したがって、本発明の遊技機によれば、灰皿又は物品収納具の何れか一方が装着される筐体の装着部に対して灰皿が装着されることによって、物品収納具を当該装着部に装着することができない場合であっても、当該装着部に装着された灰皿に対して物品収納具が装着されることにより、遊技者に自己の物品を収納するための場所を供用することができ、遊技者の利便性を向上させることができる。
【発明の効果】
【００１０】
本発明の遊技機によれば、灰皿又は物品収納具の何れか一方が装着される筐体の装着部に対して灰皿が装着されることによって、物品収納具を当該装着部に装着することができない場合であっても、当該装着部に装着された灰皿に対して物品収納具が装着されることにより、遊技者に自己の物品を収納するための場所を供用することができ、遊技者の利便性を向上させることができる。
【発明を実施するための最良の形態】
【００１１】
以下に、本発明の遊技機について、図面を用いて具体的に説明する。なお、以下の実施形態では、本発明の遊技機として、図柄を変動表示する３つの回転リールを備えた遊技機であって、コイン、メダルまたはトークンなどの他に、遊技者に付与されたカード等の遊技媒体を用いて遊技することが可能な遊技機、いわゆるパチスロ遊技機を用いて説明する。また、以下の実施形態では、パチスロ遊技機を例に挙げて説明するが、本願発明の遊技機は限定されることはなく、パチンコ機やスロットマシンであってもよい。
【００１２】
まず、図１を参照して、本実施形態に係る遊技機の概観について説明する。なお、図１は、本実施形態に係る遊技機１の斜視図である。
【００１３】
遊技機１は、図１に示すように、リール３Ｌ、３Ｃ、３Ｒや図示しない主制御回路などを収容するとともに、正面側に開口部を有するキャビネット１ａを備えている。また、キャビネット１ａには、正面側開口部を閉塞する前面扉１ｂが開閉自在に取り付けられている。なお、本実施形態のキャビネット１ａは、本発明の筐体を構成し、また、前面扉１ｂは、本発明の扉を構成する。
【００１４】
前面扉１ｂの中央部正面には、略垂直面としてのパネル表示部２ａと液晶表示部２ｂが形成されている。キャビネット１ａの中央部正面の内部（液晶表示部２ｂの背面）には、３個のリール３Ｌ、３Ｃ、３Ｒが回転自在に横一列に設けられている。３個のリール３Ｌ、３Ｃ、３Ｒには、各々の外周面に複数種類の図柄によって構成される図柄列が描かれている。各リール３Ｌ、３Ｃ、３Ｒの図柄は、図柄表示領域４Ｌ、４Ｃ、４Ｒを透過して視認できるようになっている。また、各リール３Ｌ、３Ｃ、３Ｒは、定速で回転（例えば８０回転／分）するように主制御回路により制御され、リール３Ｌ、３Ｃ、３Ｒ上に描かれた図柄がリールの回転に伴って変動する。
【００１５】
遊技機１には、リール３Ｌ、３Ｃ、３Ｒの回転が停止した際に、図柄表示領域４Ｌ、４Ｃ、４Ｒ内に表示された図柄に基づいて、入賞などの成否を判定する基準となる入賞ラインが設けられている。入賞ラインとしては、水平方向にトップライン８ｂ、センターライン８ｃ及びボトムライン８ｄ、並びに、斜め方向にクロスアップライン８ａ及びクロスダウンライン８ｅが設けられている。
【００１６】
５本の入賞ライン８ａ〜８ｅは、基本的に、後述の１−ＢＥＴボタン１１、２−ＢＥＴボタン１２、最大ＢＥＴボタン１３を操作すること、あるいはメダル投入口２２にメダルを投入することにより、それぞれ１本、３本、５本が有効化される（以下、有効化された入賞ラインを有効ラインという）。どの入賞ラインが有効化されたかは、後で説明するＢＥＴランプ９ａ、９ｂ、９ｃの点灯で表示される。後述の表示役の判定は、この有効ラインに沿って表示された図柄の組合せに基づいて行われる。
【００１７】
液晶表示部２ｂは、正面側から見てリール３Ｌ、３Ｃ、３Ｒの手前側に配設され、画像を表示すると共に、図柄表示領域４Ｌ、４Ｃ、４Ｒ上に、リール３Ｌ、３Ｃ、３Ｒに表示された図柄を透過表示するものである。
【００１８】
パネル表示部２ａ及び液晶表示部２ｂの下方には略水平面の台座部１０が形成されている。台座部１０の左側には、押しボタン操作により、クレジットされているメダルを賭けるための１−ＢＥＴボタン１１、２−ＢＥＴボタン１２、及び最大ＢＥＴボタン１３が設けられる。１−ＢＥＴボタン１１は、１回の押し操作により、クレジットされているメダルのうちの１枚が投入される。２−ＢＥＴボタン１２は、１回の押し操作により、クレジットされているメダルのうちの２枚が投入される。最大ＢＥＴボタン１３は、１回の押し操作により、クレジットされているメダルのうちの３枚｛即ち、単位遊技において投入することが可能な最大の投入枚数（以下、「最大投入枚数」という）｝が投入される。これらのＢＥＴボタン１１、１２、１３を操作することにより、前述の入賞ラインが有効化される。
【００１９】
台座部１０の右側には、メダル投入口２２が設けられている。メダル投入口２２に投入されたメダルに応じて、前述の入賞ラインが有効化される。
【００２０】
台座部１０の前面部の左寄りには、遊技者がゲームで獲得したメダルのクレジット（Ｃｒｅｄｉｔ）／払出し（Ｐａｙ）の切り替えを行うＣ／Ｐボタン１４が設けられている。このＣ／Ｐボタン１４に対する遊技者の操作によって払出モード又はクレジットモードの切り替えが行われる。クレジットモードでは、入賞が成立すると、入賞に対応する払出枚数分のメダルがクレジットされる。また、払出モードでは、入賞が成立すると、入賞に対応する払出枚数分のメダルが正面下部のメダル払出口１５から払出され、このメダル払出口１５から払出されたメダルはメダル受け部１６０に溜められる。
【００２１】
メダル受け部１６０の上方の左右には、スピーカ２１Ｌ、２１Ｒが設けられている。スピーカ２１Ｌ、２１Ｒからは遊技の状況に応じた演出音や報知音などが出音される。
【００２２】
メダル受け部１６０の左側であってスピーカ２１Ｌの下方には、灰皿２００が着脱自在に装着されている。さらに、灰皿２００の左側には、物品収納具２１０が灰皿２００に対して着脱自在に装着されている。物品収納具２１０は、遊技者が煙草や携帯電話または飲み物の容器などを収納するためのものである。なお、灰皿２００及び物品収納具２１０の装着方法については、後述する。
【００２３】
Ｃ／Ｐボタン１４の右側には、開始操作により、リール３Ｌ、３Ｃ、３Ｒを回転させ、図柄表示領域４Ｌ、４Ｃ、４Ｒに表示された図柄の変動を開始するためのスタートレバー６が設けられている。
【００２４】
台座部１０の前面部中央で、スタートレバー６の右側には、停止操作により３個のリール３Ｌ、３Ｃ、３Ｒの回転をそれぞれ停止させるための３個のストップボタン７Ｌ、７Ｃ、７Ｒが設けられている。
【００２５】
前面扉１ｂの上部には、ＬＥＤ１０１、ランプ１０２が設けられている。ＬＥＤ１０１、ランプ１０２は、遊技の状況に応じた発光パターンで発光し、演出や報知が行われる。
【００２６】
パネル表示部２ａは、ＷＩＮランプ１７と、ＢＥＴランプ９ａ〜９ｃと、払出枚数表示部１８と、クレジット表示部１９と、を有する。
【００２７】
ＷＩＮランプ１７は、遊技者にボーナスの作動に係る図柄の組合せが表示可能な状態（例えば、後述の持越状態）であることを、点灯することにより報知する。１−ＢＥＴランプ９ａ、２−ＢＥＴランプ９ｂ及び最大ＢＥＴランプ９ｃは、単位遊技（例えば、リールの回転の開始から、リールの回転が停止して遊技の結果が得られるまでの１回の遊技）を行うために投入されるメダルの枚数（即ち、投入枚数）に応じて点灯が行われる。１−ＢＥＴランプ９ａは、投入枚数が１枚で１本の入賞ライン８ｃが有効化されたときに点灯が行われる。２−ＢＥＴランプ９ｂは、投入枚数が２枚で３本の入賞ライン８ｂ、８ｃ、８ｄが有効化されたときに点灯が行われる。最大ＢＥＴランプ９ｃは、投入枚数が３枚ですべての入賞ライン８ａ〜８ｅが有効化されたときに点灯が行われる。
【００２８】
払出枚数表示部１８及びクレジット表示部１９は、夫々７セグメントＬＥＤから成り、入賞成立時のメダルの払出枚数及び貯留（クレジット）されているメダルの枚数を表示する。
【００２９】
次に、図２を参照して、本実施形態に係る遊技機における灰皿２００及び物品収納具２１０の着脱方法について説明する。なお、図２（ａ）は、本実施形態に係る遊技機１の図１におけるＩＩ−ＩＩ線断面図であり、また、図２（ｂ）は、図２（ａ）における灰皿２００及び物品収納具２１０をそれぞれ取り外した状態を示した図である。
【００３０】
図２（ａ）に示すように、灰皿２００は、メダル受け部１６０の左側に着脱自在に装着され、さらに、物品収納具２１０は灰皿２００の左側に着脱自在に装着される。具体的には、図２（ｂ）に示すように、灰皿２００は、灰皿２００の右の側面に形成された係止爪２０１が、メダル受け部１６０の左の側面に形成された嵌合溝１６１に嵌入係止されることにより着脱自在に装着される。また、灰皿２００の右の側面内部及びメダル受け部１６０の左の側面内部には、それぞれマグネット２０２及びマグネット１６２が埋設されており、灰皿２００は、当該マグネット２０２及びマグネット１６２の磁力によって、メダル受け部１６０に対して確実に装着される。
【００３１】
また、物品収納具２１０は、メダル受け部１６０に対する灰皿２００の装着方法と同様に、物品収納具２１０の右の側面に形成された係止爪２１１が、灰皿２００の左の側面に形成された嵌合溝２０３に嵌入係止されることにより着脱自在に装着される。また、物品収納具２１０の右の側面内部及び灰皿２００の左の側面内部には、それぞれマグネット２１２及びマグネット２０４が埋設されており、物品収納具２１０は、当該マグネット２１２及びマグネット２０４の磁力によって、灰皿２００に対して確実に装着される。
【００３２】
ここで、メダル受け部１６０の嵌合溝１６１及び灰皿２００の嵌合溝２０３の形状は略同一形状であって、また、灰皿２００の係止爪２０１及び物品収納具２１０の係合爪２１１の形状は略同一形状である。これにより、物品収納具２１０は、メダル受け部１６０に対して着脱自在に装着することができる。
【００３３】
なお、本発明におけるメダル受け部１６０に対する灰皿２００及び物品収納具２１０の装着方法、または、灰皿２００に対する物品収納具２１０の装着方法については、本実施形態に限定されることはない。図示しないが、例えば、メダル受け部１６０の嵌合溝１６１、灰皿２００の係止爪２０１及び嵌合溝２０３、物品収納具２１０の係止爪２１１及び嵌合溝２１３を設けずに、それぞれマグネットの磁力のみによって装着させることもできる。
【００３４】
次に、図３を参照して、本実施形態に係る遊技機における灰皿２００及び物品収納具２１０の装着方法の変形例について説明する。なお、図３は、本実施形態に係る遊技機１の灰皿２００及び物品収納具２１０を取り外した状態を示した斜視図である。
【００３５】
まず、メダル受け部１６０の左側であってスピーカ２１Ｌの下方のユニット装着部１７０には、図３における矢印Ａで示すように、灰皿２００が着脱自在に装着される。また、図３における矢印Ｂで示すように、ユニット装着部１７０には、灰皿２００を取り外して、物品収納具２１０を装着することができる。さらに、図３における矢印Ｃで示すように、灰皿２００には、物品収納具２１０が着脱自在に装着される。なお、本実施形態のユニット装着部１７０は、本発明の装着部を構成する。
【００３６】
なお、遊技機１は、通常、複数の図柄（例えば、リール３Ｌ、３Ｃ、３Ｒ外周面上に描かれた図柄）を表示する図柄表示手段（例えば、図柄表示領域４Ｌ、４Ｃ、４Ｒ、リール３Ｌ、３Ｃ、３Ｒ）と、開始操作を検知したことに基づいて、単位遊技の開始を指令する開始信号を出力する開始信号出力手段と、開始信号出力手段により出力された開始信号を検出したことに基づいて、図柄表示手段により表示されている複数の図柄を変動させる図柄変動手段（例えば、図示しない遊技機１の主制御回路）と、開始信号出力手段により出力された開始信号を検出したことに基づいて、当籤役を決定する当籤役決定手段（例えば、図示しない遊技機１の主制御回路）と、停止操作を検知したことに基づいて、図柄変動手段により行われている図柄の変動の停止を指令する停止信号を出力する停止信号出力手段と、停止信号出力手段により出力された停止信号と当籤役決定手段により決定された当籤役とに基づいて、図柄変動手段によって行われている図柄の変動を停止させる停止制御手段（例えば、図示しない遊技機１の主制御回路）と、停止制御手段によって停止される図柄を示す停止図柄（例えば、リール３Ｌ、３Ｃ、３Ｒが停止操作に基づいて停止した際の入賞ライン８上に停止した図柄）の組合せに基づいて各単位遊技の入賞の可否を判定する判定手段（例えば、図示しない遊技機１の主制御回路）と、を備えた構成を有している。
【００３７】
以上、本実施形態によれば、遊技機１は、灰皿２００又は物品収納具２１０の何れか一方が装着される筐体のユニット装着部１７０に対して灰皿２００が装着されることによって、物品収納具２１０をユニット装着部１７０に装着することができない場合であっても、ユニット装着部１７０に装着された灰皿２００に対して物品収納具２１０が装着されることにより、遊技者に自己の物品を収納するための場所を供用することができ、遊技者の利便性を向上させることができる。
【００３８】
なお、本実施形態によれば、遊技機１における、ユニット装着部１７０に対する灰皿２００及び物品収納具２１０の装着方法としては、灰皿２００及び物品収納具２１０の背面部に係止爪を設けるとともに、スピーカ２１Ｌ下方の前面部に嵌合溝を設け、当該嵌合溝に灰皿２００及び物品収納具２１０の係止爪を嵌入係止させて装着することもできる。
【００３９】
また、本実施形態では、パチスロ遊技機として例示したが、これに限定されず、他の遊技機にも本発明を適用することができる。
【図面の簡単な説明】
【００４０】
【図１】本発明に係る一実施形態における遊技機１を示す斜視図である。
【図２】図２（ａ）は、本実施形態に係る遊技機１の図１におけるＩＩ−ＩＩ線断面図である。図２（ｂ）は、図２（ａ）における灰皿２００及び物品収納具２１０をそれぞれ取り外した状態を示した図である。
【図３】一実施形態に係る遊技機１の灰皿２００及び物品収納具２１０を取り外した状態を示した斜視図である。
【符号の説明】
【００４１】
１  …  遊技機
２１Ｌ、２１Ｒ  …  スピーカ
１６０  …  メダル受け部
１７０  …  ユニット装着部
２００  …  灰皿
２１０  …  物品収納具
【図１】
2007089672.tif 000003
【図２】
2007089672.tif 000004
【図３】
2007089672.tif 000005